(57)【特許請求の範囲】
【請求項１】
操作パネルを有し、該操作パネル上の操作により少なくとも手動受信モード、手動送信モード、手動ポーリングモードから選択された通信モードの処理を実行するファクシミリ装置の制御方法において、
前記ファクシミリ装置における通話ジョブの実行を検出した際に、前記ファクシミリ装置の送信原稿のセット状態を検出し、該検出した通話ジョブの種別および前記送信原稿のセット状態に対応する通信モードを判別し、該判別した通信モードに対応する操作と該判別した通信モード以外の通話ジョブの実行を伴う通信モードへの切り替え操作とを指示できる操作画面を前記操作パネル上に表示することを特徴とするファクシミリ装置の制御方法。
【請求項２】
前記通話ジョブの状態が発呼であり、前記送信原稿のセット状態が原稿をセットされた状態にあるときは、前記手動送信モードに対応する操作画面を前記操作パネル上に表示し、
前記通話ジョブの状態が発呼であり、前記送信原稿のセット状態が原稿をセットされていない状態にあるときは、前記手動ポーリングモードに対応する操作画面を前記操作パネル上に表示し、
前記通話ジョブの状態が着呼であるときは、前記送信原稿のセット状態にかかわらず前記手動受信モードに対応する操作画面を前記操作パネル上に表示することを特徴とする請求項１記載のファクシミリ装置の制御方法。
【請求項３】
前記通話ジョブの状態が発呼であり、前記送信原稿のセット状態が原稿をセットされた状態にあるときは、前記手動送信モードに対応する操作画面を前記操作パネル上に表示し、
前記通話ジョブの状態が発呼であり、前記送信原稿のセット状態が原稿をセットされていない状態にあるときは、前記手動ポーリングモードに対応する操作画面を前記操作パネル上に表示する
ことを特徴とする請求項１記載のファクシミリ装置の制御方法。
【請求項４】
操作パネルを有し、該操作パネル上の操作により少なくとも手動受信モード、手動送信モード、手動ポーリングモードから選択された通信モードの処理を実行するファクシミリ装置の制御装置において、
前記ファクシミリ装置の通話ジョブの実行が開始されたことを検出する通話ジョブ状態検出手段と、
前記ファクシミリ装置の送信原稿のセット状態を検出する送信原稿セット状態検出手段と、
前記通話ジョブ状態検出手段により通話ジョブの実行の開始が検出された際に、該検出された通話ジョブの状態および前記送信原稿セット状態検出手段により検出された送信原稿のセット状態に対応する通信モードを判別する通信モード判別手段と、
前記通信モード判別手段により判別された通信モードに対応する操作と該判別した通信モード以外の通話ジョブの実行を伴う通信モードへの切り替え操作とを指示できる操作画面を前記操作パネル上に表示する表示制御手段と
を具備することを特徴とするファクシミリ装置の制御装置。
【請求項５】
前記表示制御手段は、
前記通話ジョブの状態が発呼であり、前記送信原稿のセット状態が原稿をセットされた状態にあるときは、前記手動送信モードに対応する操作画面を前記操作パネル上に表示し、
前記通話ジョブの状態が発呼であり、前記送信原稿のセット状態が原稿をセットされていない状態にあるときは、前記手動ポーリングモードに対応する操作画面を前記操作パネル上に表示し、
前記通話ジョブの状態が着呼であるときは、前記送信原稿のセット状態にかかわらず前記手動受信モードに対応する操作画面を前記操作パネル上に表示することを特徴とする請求項４記載のファクシミリ装置の制御装置。
【発明の詳細な説明】
【０００１】
【発明の属する技術分野】
この発明はファクシミリ装置の制御方法および装置に関し、特に操作パネルのパネル操作によるユーザ入力の操作性を改善したファクシミリ装置の制御方法および装置に関する。
【０００２】
【従来の技術】
従来、ファクシミリ装置またはコピー、プリンタ機能等も有する複合ファクシミリ装置においては、自動機能に加え手動受信機能、手動送信機能等の各種手動機能を有するものが知られている。
【０００３】
これら各種手動機能を有するファクシミリ装置においては、ユーザの行う操作および操作パネルの簡易化のために、受話器の状態（オンフックまたはオフフック）や原稿の有無等から利用する手動機能を判別して、機能モードを自動的に切り換えることのできる装置等が提案されている（特公平１−２５４６９、特開平２−３１５５５、特開平７−１３１５７６）。
【０００４】
また、最近では、通信相手にポーリングシーケンスを送信し、通信相手側にデータの発信を促してそのデータを受信するポーリング機能を有するファクシミリ装置が提供され、その操作はより複雑になっている。
【０００５】
一方、操作パネルにＣＬＤ（液晶表示装置）等の表示装置を採用することにより、ハードボタンを増設せずにソフトボタンによる機能モードの切り換えが行える簡易な操作パネルを有するファクシミリ装置が提供されている。
【０００６】
【発明が解決しようとする課題】
しかしながら上記従来のファクシミリ装置においては「手動受信ボタン」１つで手動受信と手動ポーリングの両機能を提供しており、操作方法によってその意味が内部的に切り換えらており、通話中画面でも、手動受信／手動送信切換ボタン（ソフトボタン）が提供されていた。
【０００７】
また、ポーリングボタン（ソフトボタン）によるポーリング機能も提供されており、手動送信、手動受信、手動ポーリング、自動ポーリング機能を使う場合のユーザインタフェイスの操作性が悪く、ユーザにわかりにくいという問題があった。
【０００８】
さらに、受話器の状態と原稿の有無から機能モードを自動選択する場合に、選択されたモードがユーザの意図したモードと異なる場合などの訂正の操作が複雑である等の問題があった。
【０００９】
そこで、この発明は、ユーザにわかりやすく操作性のよいファクシミリ装置の制御方法および装置を提供することを目的とする。
【００１０】
【課題を解決するための手段】
上述した目的を達成するため、請求項１の発明は、操作パネルを有し、該操作パネル上の操作により少なくとも手動受信モード、手動送信モード、手動ポーリングモードから選択された通信モードの処理を実行するファクシミリ装置の制御方法において、前記ファクシミリ装置における通話ジョブの実行を検出した際に、前記ファクシミリ装置の送信原稿のセット状態を検出し、該検出した通話ジョブの種別および前記送信原稿のセット状態に対応する通信モードを判別し、該判別した通信モードに対応する操作と該判別した通信モード以外の通話ジョブの実行を伴う通信モードへの切り替え操作とを指示できる操作画面を前記操作パネル上に表示することを特徴とする。
【００１１】
また、請求項２の発明は、請求項１の発明において、前記通話ジョブの状態が発呼であり、前記送信原稿のセット状態が原稿をセットされた状態にあるときは、前記手動送信モードに対応する操作画面を前記操作パネル上に表示し、前記通話ジョブの状態が発呼であり、前記送信原稿のセット状態が原稿をセットされていない状態にあるときは、前記手動ポーリングモードに対応する操作画面を前記操作パネル上に表示し、前記通話ジョブの状態が着呼であるときは、前記送信原稿のセット状態にかかわらず前記手動受信モードに対応する操作画面を前記操作パネル上に表示することを特徴とする。
また、請求項３の発明は、請求項１の発明において、前記通話ジョブの状態が発呼であり、前記送信原稿のセット状態が原稿をセットされた状態にあるときは、前記手動送信モードに対応する操作画面を前記操作パネル上に表示し、前記通話ジョブの状態が発呼であり、前記送信原稿のセット状態が原稿をセットされていない状態にあるときは、前記手動ポーリングモードに対応する操作画面を前記操作パネル上に表示することを特徴とする。
【００１２】
また、請求項４の発明は、操作パネルを有し、該操作パネル上の操作により少なくとも手動受信モード、手動送信モード、手動ポーリングモードから選択された通信モードの処理を実行するファクシミリ装置の制御装置において、前記ファクシミリ装置の通話ジョブの実行が開始されたことを検出する通話ジョブ状態検出手段と、前記ファクシミリ装置の送信原稿のセット状態を検出する送信原稿セット状態検出手段と、前記通話ジョブ状態検出手段により通話ジョブの実行の開始が検出された際に、該検出された通話ジョブの状態および前記送信原稿セット状態検出手段により検出された送信原稿のセット状態に対応する通信モードを判別する通信モード判別手段と、前記通信モード判別手段により判別された通信モードに対応する操作と該判別した通信モード以外の通話ジョブの実行を伴う通信モードへの切り替え操作とを指示できる操作画面を前記操作パネル上に表示する表示制御手段とを具備することを特徴とする。
【００１３】
また、請求項５の発明は、請求項４の発明において、前記表示制御手段は、前記通話ジョブの状態が発呼であり、前記送信原稿のセット状態が原稿をセットされた状態にあるときは、前記手動送信モードに対応する操作画面を前記操作パネル上に表示し、前記通話ジョブの状態が発呼であり、前記送信原稿のセット状態が原稿をセットされていない状態にあるときは、前記手動ポーリングモードに対応する操作画面を前記操作パネル上に表示し、前記通話ジョブの状態が着呼であるときは、前記送信原稿のセット状態にかかわらず前記手動受信モードに対応する操作画面を前記操作パネル上に表示することを特徴とする。
【００１４】
【発明の実施の形態】
以下、この発明に係わるファクシミリ装置の制御方法および装置の一実施例を添付図面を参照して詳細に説明する。
【００１５】
図１は、この発明に係わるファクシミリ装置の制御方法および装置を採用したファクシミリ装置の構成を示すブロック図である。
【００１６】
図１において、ファクシミリ装置は、電話回線１、切り換え手段２、受話器３、モデム４、信号処理手段５、原稿読込手段６、印刷手段７、通信ジョブ検知手段８、制御手段９、ジョブ起動パラメータ生成手段１０、通信モード判定手段１１、原稿有無検知手段１２、表示制御手段１３、表示装置（操作パネル）１４で構成される。
【００１７】
このファクシミリ装置において、通話を行う場合は切り換え手段２で電話回線１と受話器３が接続され、受話器３を利用して通話を行う。また、画像イメージの送受信を行う場合には、切り換え手段２により電話回線１とモデム４が接続される。
【００１８】
画像イメージを送信する場合には、原稿読込手段６で原稿を読み込みイメージデータを生成する。このイメージデータを信号処理手段５で規定の信号に変換し、モデム４で変調して、切り換え手段２を介して電話回線１から送出する。
【００１９】
画像イメージを受信する場合には、電話回線１、切り換え手段２を介して受信した信号をモデム４で復調し、信号処理手段５で印刷データに変換して印刷手段７から出力する。
【００２０】
さて、このファクシミリ装置において、手動受信、手動送信、手動ポーリングの各種手動機能を利用する場合、通信ジョブ検知手段８および原稿有無検知手段１２が検知した結果に基づき通信モード判定手段１１で最適な通信モードを選択する。
【００２１】
ここで、図２に通信モード判定手段１１における通信モード判定のパラメータ表を示す。
【００２２】
通信モード判定手段１１は通信ジョブの発生で動作するため、通信ジョブ検知手段８が通信ジョブを検知すると動作を開始する。このとき、通信モード判定手段１１は、通信ジョブ検知手段８が検知した通信ジョブが通話ジョブかつ発呼であった場合には原稿有無検知手段１２から入力される信号を調べ、原稿が有れば手動送信モードを選択し、原稿が無ければ手動ポーリングモードを選択する。
【００２３】
また、通信ジョブ検知手段８が検知した通信ジョブが通話ジョブかつ着呼の場合には、通信モード判定手段１１は原稿の有無に係わらず手動受信モードを選択する。
【００２４】
通信モード判定手段１１が選択した機能モードは、表示制御手段１３を介して表示装置（操作パネルと兼用）１４に表示される。
【００２５】
表示装置１４に選択された機能モードが表示されると、その表示を見たユーザは表示装置１４のスタートキーまたは他モード選択キーを押下する。他モード選択キーが押下された場合には表示制御手段１３はユーザによって選択された機能モードを表示する。
【００２６】
ユーザにより表示装置１４のスタートキーが押下されると、表示制御手段１３から選択された機能モードを実行させる信号がジョブ起動パラメータ生成手段１０へ出力される。この信号が入力されたジョブ起動パラメータ生成手段１０は、選択された機能モードを実行させるのに必要なパラメータを生成し、制御手段９へ出力する。ジョブ起動パラメータが入力された制御手段９は各部へ制御信号を出力し、この出力信号によりファクシミリ装置が動作を開始する。
【００２７】
ここで、図３乃至６を用いて手動機能選択方法の詳細を説明する。
【００２８】
図３は通信ジョブが検知されてから各種手動モードが処理されるまでの通信モード判定手段１１および表示制御手段１３の動作の流れを示した図である。
【００２９】
また、図４は通信モード判定手段１１により手動送信モードが選択された場合の表示装置１４の一表示例を示した図であり、同様に図５は手動ポーリングモードが選択された場合の一表示例を、図６は手動受信モードが選択された場合の一表示例を示した図である。
【００３０】
図４乃至６において、手動送信モード画面２０、手動ポーリングモード画面３０、手動受信モード画面４０は通信ジョブが発呼の場合の回線接続前の状態での表示画面であり、手動送信モード画面２５、手動ポーリングモード画面３５、手動受信モード画面４５は通信ジョブが着呼の場合および通信ジョブが発呼で宛先入力を行った場合の回線接続後の状態での表示画面、手動送信モード画面２１、手動ポーリングモード画面３１は宛先入力直後の状態での表示画面である。
【００３１】
さて、通信ジョブ検知手段８が通話ジョブを検知すると（ステップ１０１でＹＥＳ）、各種手動機能の選択が開始される。また、通話ジョブが検知されるまでは（ステップ１０１でＮＯ）自動処理モード等の他のモードの準備または動作中となっている（ステップ１０２）。
【００３２】
通信ジョブが検知され、その通信ジョブが通話ジョブかつ発呼であり、原稿有無検知手段１２が原稿有りと検知した場合には（ステップ１０３でＹＥＳおよびステップ１０４でＹＥＳ）、通信モード判定手段１１は手動送信モードを選択し、表示装置１４に図４に示す手動送信モード画面２０を表示する（ステップ１０５）。
【００３３】
また、通信ジョブが通話ジョブかつ発呼であり、原稿有無検知手段１２が原稿有無検知手段１２が原稿無しと検知した場合には（ステップ１０３でＹＥＳおよびステップ１０４でＮＯ）、通信モード判定手段１１は手動ポーリングモードを選択し、表示装置１４に図５に示す手動ポーリングモード画面３０を表示する（ステップ１１３）。
【００３４】
さらに、通信ジョブが通話ジョブかつ着呼であった場合には（ステップ１０３でＮＯ）、原稿有無検知手段１２の検知結果に係わらず通信モード判定手段１１は手動受信モードを選択し、表示装置１４に図６に示す手動受信モード画面４５を表示する（ステップ１２１）。
【００３５】
ステップ１０５の手動送信モード、ステップ１１３の手動ポーリングモード、ステップ１２１の手動受信モードは、上述の通信モード判定手段１１によるモード選択の他に、後述するようにユーザにより選択されることもある。
【００３６】
ここで、図４に示すように通信モード判定手段１１が手動送信モードを選択した（手動送信モード画面２０が表示された）場合またはユーザが手動送信モードを選択した（手動送信モード画面２０または２５が表示された）場合の処理の流れを説明する。
【００３７】
表示装置１４に手動送信モード画面２０または２５が表示されている状態で（ステップ１０５）、ユーザが原稿の除去（ステップ１０６でＹＥＳ）またはポーリングボタンの押下（ステップ１０７でＹＥＳ）を行った場合には、表示装置１４には手動ポーリングモード画面３０または３５が表示され（ステップ１１３）、手動受信ボタンの押下を行った場合には（ステップ１０８でＹＥＳ）表示装置１４に手動受信モード画面４０または４５が表示される（ステップ１２１）。
【００３８】
ユーザが原稿の除去、ポーリングボタンの押下、手動受信ボタンの押下のいずれも行わず（ステップ１０６でＮＯ、ステップ１０７でＮＯ、ステップ１０８でＮＯ）、回線接続前であった場合には（ステップ１０９でＮＯ、手動送信モード画面２０）、ユーザに対し宛先の入力を促し（ステップ１１０）、宛先が入力されると回線が接続され、表示装置１４には手動送信モード画面２１が表示される。
【００３９】
ユーザが原稿の除去、ポーリングボタンの押下、手動受信ボタンの押下のいずれも行わず（ステップ１０６でＮＯ、ステップ１０７でＮＯ、ステップ１０８でＮＯ）、回線接続後であった場合には（ステップ１０９でＹＥＳ、手動送信モード画面２５）、すでに回線は接続されているため宛先の入力の必要はない。
【００４０】
このステップ１０５からステップ１１０までの処理はユーザがスタートキーを押下するまで繰り返され（ステップ１１１でＮＯ）、スタートキーが押下されると（ステップ１１１でＹＥＳ）、制御手段９は手動送信処理を開始する（ステップ１１２）。
【００４１】
次に、図５に示すように通信モード判定手段１１が手動ポーリングモードを選択した（手動ポーリングモード画面３０が表示された）場合またはユーザが手動ポーリングモードを選択した（手動ポーリングモード画面３０または３５が表示された）場合の処理の流れを説明する。
【００４２】
表示装置１４に手動ポーリングモード画面３０または３５が表示されている状態で（ステップ１１３）、ユーザが原稿のセット（ステップ１１４でＹＥＳ）または手動送信ボタンの押下（ステップ１１５でＹＥＳ）を行った場合には、表示装置１４には手動送信モード画面２０または２５が表示され（ステップ１０５）、手動受信ボタンの押下を行った場合には（ステップ１１６でＹＥＳ）表示装置１４に手動受信モード画面４０または４５が表示される（ステップ１２１）。
【００４３】
ユーザが原稿のセット、手動送信ボタンの押下、手動受信ボタンの押下のいずれも行わず（ステップ１１４でＮＯ、ステップ１１５でＮＯ、ステップ１１６でＮＯ）、回線接続前であった場合には（ステップ１１７でＮＯ、手動ポーリングモード画面３０）、ユーザに対し宛先の入力を促し（ステップ１１８）、宛先が入力されると回線が接続され表示装置１４には手動ポーリングモード画面３１が表示される。
【００４４】
ユーザが原稿のセット、手動送信ボタンの押下、手動受信ボタンの押下のいずれも行わず（ステップ１１４でＮＯ、ステップ１１５でＮＯ、ステップ１１６でＮＯ）、回線接続後であった場合には（ステップ１１７でＹＥＳ、手動ポーリングモード画面３５）、すでに回線は接続されているため宛先の入力の必要はない。
【００４５】
このステップ１１３からステップ１１８までの処理はユーザがスタートキーを押下するまで繰り返され（ステップ１１９でＮＯ）、スタートキーが押下されると（ステップ１１９でＹＥＳ）、制御手段９は手動ポーリング処理を開始する（ステップ１２０）。
【００４６】
次に、図６に示すように通信モード判定手段１１が手動受信モードを選択した（手動受信モード画面４５が表示された）場合またはユーザが手動受信モードを選択した（手動受信モード画面４０または４５が表示された）場合の処理の流れを説明する。
【００４７】
表示装置１４に手動送信モード画面４０または４５が表示されている状態で（ステップ１２１）、手動送信ボタンの押下（ステップ１２２でＹＥＳ）を行った場合には、表示装置１４には手動送信モード画面２０または２５が表示され（ステップ１０５）、手動ポーリングボタンの押下を行った場合には（ステップ１２３でＹＥＳ）、表示装置１４に手動ポーリングモード画面３０または３５が表示される（ステップ１１３）。
【００４８】
ユーザが手動送信ボタンの押下、ポーリングボタンの押下のいずれも行わず（ステップ１２２でＮＯ、ステップ１２３でＮＯ）、回線接続前であった場合には（ステップ１２４でＮＯ、手動受信モード画面４０）、ユーザに対し宛先の入力を促す（ステップ１２５）。
【００４９】
回線接続後であった場合には（ステップ１２４でＹＥＳ、手動受信モード画面４５）、すでに回線は接続されているため宛先の入力の必要はない。
【００５０】
このステップ１２１からステップ１２５までの処理はユーザがスタートキーを押下するまで繰り返され（ステップ１２６でＮＯ）、スタートキーが押下されると（ステップ１２６でＹＥＳ）、制御手段９は手動受信処理を開始する（ステップ１２７）。
【００５１】
次に、図７乃至１０を用いて図３に示した通信モード判定手段１１および表示制御手段１３の動作の流れとは別の手動機能選択方法の詳細を説明する。
【００５２】
図７は通話ジョブが検知されてから各種手動モードが処理されるまでの通信モード判定手段１１および表示制御手段１３の動作の流れを示した図である。
【００５３】
また、図８は通信モード判定手段１１により手動送信モードが選択された場合の表示装置１４の一表示例を示した図であり、同様に図９は手動ポーリングモードが選択された場合の一表示例を、図１０は手動受信モードが選択された場合の一表示例を示した図である。
【００５４】
図８乃至１０において、手動送信モード画面５０、手動ポーリングモード画面６０、手動受信モード画面７０は通信ジョブが発呼の場合の回線接続前の状態での表示画面であり、手動送信モード画面５５、手動ポーリングモード画面６５、手動受信モード画面７５は通信ジョブが着呼の場合および通信ジョブが発呼で宛先入力を行った場合の回線接続後の状態での表示画面、手動送信モード画面５１、手動ポーリングモード画面６１は宛先入力直後の状態での表示画面、手動送信モード画面５２、手動ポーリングモード画面６２は通信ジョブが発呼で回線接続前にモード選択ボタンが制限された状態での表示画面である。
【００５５】
この図８乃至１０に示した表示画面例は、ユーザによるモード選択後に他モードの選択ボタンを表示しない箇所が図４乃至６に示した表示画面例と異なっている。
【００５６】
さて、通信ジョブ検知手段８が通話ジョブを検知すると（ステップ２０１でＹＥＳ）、各種手動機能の選択が開始される。また、通話ジョブが検知されるまでは（ステップ２０１でＮＯ）自動処理モード等の他のモードの準備または動作中となっている（ステップ２０２）。
【００５７】
通信ジョブが検知され、その通信ジョブが通話ジョブかつ発呼であり、原稿有無検知手段１２が原稿有りと検知した場合には（ステップ２０３でＹＥＳおよびステップ２０４でＹＥＳ）、通信モード判定手段１１は手動送信モードを選択し、表示装置１４に図８に示す手動送信モード画面５０を表示する（ステップ２０５）。
【００５８】
また、通信ジョブが通話ジョブかつ発呼であり、原稿有無検知手段１２が原稿有無検知手段１２が原稿無しと検知した場合には（ステップ２０３でＹＥＳおよびステップ２０４でＮＯ）、通信モード判定手段１１は手動ポーリングモードを選択し、表示装置１４に図９に示す手動ポーリングモード画面６０を表示する（ステップ２１３）。
【００５９】
さらに、通信ジョブが通話ジョブかつ着呼であった場合には（ステップ２０３でＮＯ）、原稿有無検知手段１２の検知結果に係わらず通信モード判定手段１１は手動受信モードを選択し、表示装置１４に図１０に示す手動受信モード画面７５を表示する（ステップ２２１）。
【００６０】
ステップ２０５の手動送信モード、ステップ２１３の手動ポーリングモード、ステップ２２１の手動受信モードは、上述の通信モード判定手段１１によるモード選択の他に、後述するようにユーザにより選択されることもある。
【００６１】
ここで、図８に示すように通信モード判定手段１１が手動送信モードを選択した（手動送信モード画面５０が表示された）場合またはユーザが手動送信モードを選択した（手動送信モード画面５２または５５が表示された）場合の処理の流れを説明する。
【００６２】
表示装置１４に手動送信モード画面５０が表示されている状態で（ステップ２０５）、ユーザがポーリングボタンの押下（ステップ２０６でＹＥＳ）を行った場合には、表示装置１４には手動ポーリングモード画面６２が表示され（ステップ２１３）、手動受信ボタンの押下を行った場合には（ステップ２０７でＹＥＳ）表示装置１４に手動受信モード画面７２が表示される（ステップ２２１）。
【００６３】
ユーザがポーリングボタンの押下、手動受信ボタンの押下のいずれも行わず（ステップ２０６でＮＯ、ステップ２０７でＮＯ）、回線接続前であり（ステップ２０８でＮＯ、手動送信モード画面５０）、かつ、原稿が除去されなければ（ステップ２０９でＮＯ）、ユーザに対し宛先の入力を促し（ステップ２１０）、宛先が入力されると回線が接続され、表示装置１４には手動送信モード画面５１が表示される。また、原稿が除去された場合には（ステップ２０９でＹＥＳ）、表示装置１４には手動ポーリングモード画面６２が表示される（ステップ２１３）。
【００６４】
ユーザがポーリングボタンの押下、手動受信ボタンの押下のいずれも行わず（ステップ２０６でＮＯ、ステップ２０７でＮＯ）、回線接続後であった場合には（ステップ２０８でＹＥＳ、手動送信モード画面５５）、すでに回線は接続されているため宛先の入力の必要はない。
【００６５】
このステップ２０８からステップ２１０までの処理はユーザがスタートキーを押下するまで繰り返され（ステップ２１１でＮＯ）、スタートキーが押下されると（ステップ２１１でＹＥＳ）、制御手段９は手動送信処理を開始する（ステップ２１２）。
【００６６】
ただし、ユーザにより手動送信モードが選択された（表示装置１４が手動送信モード画面５２または５５を表示）場合には、モード選択ボタンが制限されているため、ステップ２０８以降の処理のみが行われることになる。
【００６７】
次に、図９に示すように通信モード判定手段１１が手動ポーリングモードを選択した（手動ポーリングモード画面６０が表示された）場合またはユーザが手動ポーリングモードを選択した（手動ポーリングモード画面６２または６５が表示された）場合の処理の流れを説明する。
【００６８】
表示装置１４に手動ポーリングモード画面６０が表示されている状態で（ステップ２１３）、ユーザが手動送信ボタンの押下（ステップ２１４でＹＥＳ）を行った場合には、表示装置１４には手動送信モード画面５２が表示され（ステップ２０５）、手動受信ボタンの押下を行った場合には（ステップ２１５でＹＥＳ）表示装置１４に手動受信モード画面７２が表示される（ステップ２２１）。
【００６９】
ユーザが手動送信ボタンの押下、手動受信ボタンの押下のいずれも行わず（ステップ２１４でＮＯ、ステップ２１５でＮＯ）、回線接続前であり（ステップ２１６でＮＯ、手動ポーリングモード画面６０）、かつ、原稿がセットされなければ（ステップ２１７でＮＯ）、ユーザに対し宛先の入力を促し（ステップ２１８）、宛先が入力されると回線が接続され表示装置１４には手動ポーリングモード画面６１が表示される。また、原稿がセットされた場合には（ステップ２１７でＹＥＳ）、表示装置１４には手動送信モード画面５２が表示される（ステップ２０５）。
【００７０】
ユーザが手動送信ボタンの押下、手動受信ボタンの押下のいずれも行わず（ステップ２１４でＮＯ、ステップ２１５でＮＯ）、回線接続後であった場合には（ステップ２１６でＹＥＳ、手動ポーリングモード画面６５）、すでに回線は接続されているため宛先の入力の必要はない。
【００７１】
このステップ２１６からステップ２１８までの処理はユーザがスタートキーを押下するまで繰り返され（ステップ２１９でＮＯ）、スタートキーが押下されると（ステップ２１９でＹＥＳ）、制御手段９は手動ポーリング処理を開始する（ステップ２２０）。
【００７２】
ただし、ユーザにより手動ポーリングモードが選択された（表示装置１４が手動ポーリングモード画面６２または６５を表示）場合には、モード選択ボタンが制限されているため、ステップ２１６以降の処理のみが行われることになる。
【００７３】
次に、図１０に示すように通信モード判定手段１１が手動受信モードを選択した（手動受信モード画面７５が表示された）場合またはユーザが手動受信モードを選択した（手動受信モード画面７２が表示された）場合の処理の流れを説明する。
【００７４】
表示装置１４に手動送信モード画面７５が表示されている状態で（ステップ２２１）、手動送信ボタンの押下（ステップ２２２でＹＥＳ）を行った場合には、表示装置１４には手動送信モード画面５５が表示され（ステップ２０５）、手動ポーリングボタンの押下を行った場合には（ステップ２２３でＹＥＳ）、表示装置１４に手動ポーリングモード画面６５が表示される（ステップ２１３）。
【００７５】
ユーザが手動送信ボタンの押下、ポーリングボタンの押下のいずれも行わず（ステップ２２２でＮＯ、ステップ２２３でＮＯ）、回線接続前であった場合には（ステップ２２４でＮＯ、手動受信モード画面７２）、ユーザに対し宛先の入力を促す（ステップ２２５）。
【００７６】
回線接続後であった場合には（ステップ２２４でＹＥＳ、手動受信モード画面７５）、すでに回線は接続されているため宛先の入力の必要はない。
【００７７】
このステップ２２４からステップ２２５までの処理はユーザがスタートキーを押下するまで繰り返され（ステップ２２６でＮＯ）、スタートキーが押下されると（ステップ２２６でＹＥＳ）、制御手段９は手動受信処理を開始する（ステップ１２７）。
【００７８】
ただし、ユーザにより手動受信モードが選択された（表示装置１４が手動受信モード画面７２を表示）場合には、モード選択ボタンが制限されているため、ステップ２２４以降の処理のみが行われることになる。
【００７９】
【発明の効果】
以上説明したように、この発明によれば、手動送信モード、手動ポーリングモード、手動受信モード等の各種機能モードを選択するボタンを独立させ、使用しないボタンを非表示とすることでユーザによる操作性が向上することになる。
【００８０】
また、通信ジョブの種類と原稿セットの有無から最適なモードを自動選択するとともに、選択されたモードを容易に変更することができるので、例えば、原稿を送信する場合に原稿のセットを忘れ、ポーリングモードが選択された場合などで、最初から操作をやり直す必要はなく、操作パネル上の表示にしたがって、手動送信モードを選択するだけで原稿の送信を行うことができる。
【００８１】
このように、操作性を向上させることによって、多種の機能を有するファクシミリ装置においても、ユーザは容易に各機能を使用することができる。
【図面の簡単な説明】
【図１】この発明に係わるファクシミリ装置の制御方法および装置を採用したファクシミリ装置の構成を示すブロック図。
【図２】通信モード判定手段１１における通信モード判定のパラメータ。
【図３】通信モード判定手段１１および表示制御手段１３の動作の流れを示した図。
【図４】通信モード判定手段１１により手動送信モードが選択された場合の表示装置１４の一表示例を示した図。
【図５】通信モード判定手段１１により手動ポーリングモードが選択された場合の表示装置１４の一表示例を示した図。
【図６】通信モード判定手段１１により手動受信モードが選択された場合の表示装置１４の一表示例を示した図。
【図７】通信モード判定手段１１および表示制御手段１３の図３とは別の動作の流れを示した図。
【図８】通信モード判定手段１１により手動送信モードが選択された場合の表示装置１４の図４とは別の表示例を示した図。
【図９】通信モード判定手段１１により手動ポーリングモードが選択された場合の表示装置１４の図５とは別の表示例を示した図。
【図１０】通信モード判定手段１１により手動受信モードが選択された場合の表示装置１４の図６とは別の表示例を示した図。
【符号の説明】
１    電話回線
２    切り換え手段
３    受話器
４    モデム
５    信号処理手段
６    原稿読込手段
７    印刷手段
８    通信ジョブ検知手段
９    制御手段
１０    ジョブ起動パラメータ生成手段
１１    通信モード判定手段
１２    原稿有無検知手段
１３    表示制御手段
１４    表示装置（操作パネル兼）
２０、２１、２５    手動送信モード画面
３０、３１、３５    手動ポーリングモード画面
４０、４５    手動受信モード画面
５０、５１、５２、５５    手動送信モード画面
６０、６１、６２、６５    手動ポーリングモード画面
７２、７５    手動受信モード画面
【図１】
0003692687.tif 000002
【図２】
0003692687.tif 000003
【図３】
0003692687.tif 000004
【図４】
0003692687.tif 000005
【図５】
0003692687.tif 000006
【図６】
0003692687.tif 000007
【図７】
0003692687.tif 000008
【図８】
0003692687.tif 000009
【図９】
0003692687.tif 000010
【図１０】
0003692687.tif 000011